(57)【要約】【課題】新規なアンカーを自動でドレーン材に取り付けるドレーン材用アンカー取付装置を提供する。【解決手段】  アンカー取付装置1は、一対のかしめ部104a、104bを備えるアンカー101をドレーン材8に取り付けるものであり、第１アセンブリ3と、第１アセンブリ3に向かって移動自在な第２アセンブリ5とを備えている。第２アセンブリ5が第１アセンブリ3に向かって移動すると、一対のかしめ部104a，104bは、それらの間にドレーン材8の先端部が配置された状態で、第２アセンブリ5に設けられた押し部材63と、第１アセンブリ3に設けられた一対の受け部材42a、42bとで挟圧される。受け部材42a、42bが互いに離れるように回転すると、一対のかしめ部104a，104bは、受け部材42a、42bの第１鉛直面44，44が略同一平面内に配置された状態で、押し部材63と受け部材42a、42bとで挟圧される。【選択図】図３
2014234659.tif 000002
【特許請求の範囲】
【請求項１】
略鉛直に配置された帯状のドレーン材を上下に切断して、前記ドレーン材の切断後に上側に位置する上側ドレーン材の先端部にアンカーを取り付けるドレーン材用アンカー取付装置において、
前記アンカーは、底板と、前記底板の上面から垂直に突出する板状の支持部と、前記支持部の両端から前記支持部の一方の主面側に夫々突出する略平行な一対のかしめ部とを備えており、
前記ドレーン材用アンカー取付装置は、前記ドレーン材の一方の主面側に配置される第１アセンブリと、前記第１アセンブリに対向するように、前記ドレーン材の他方の主面側に配置される第２アセンブリとを備えており、
前記第１アセンブリと前記第２アセンブリは、前記第１アセンブリ及び前記第２アセンブリの少なくとも一方に連結された駆動手段が作動することで、水平方向に接近離間自在に構成されており、
前記第１アセンブリは、一対の受け部材を有しており、前記一対の受け部材の内面は、前記第２アセンブリ側に向かって広がるように、上方から見てハ字状に配置され、前記一対の受け部材の各々の内面は、基端側に位置する第１鉛直面と、自由端側に位置し、前記第１鉛直面と鈍角で交わる第２鉛直面とで凹状に形成されており、
前記一対の受け部材の各々の基端は、鉛直軸周りで回動自在に枢支されて、前記一対の受け部材は、前記駆動手段の動作に応じて揺動自在に構成されており、
前記第２アセンブリは、前記アンカーが載置される平面部を有すると共に、前記第１アセンブリ側の端部に前記ドレーン材の切断に使用される刃が形成されたカッター部材と、前記アンカーの前記支持部の他方の主面側に配置される押し部材とを備えており、
前記第１アセンブリと前記第２アセンブリを近づけるように前記駆動手段が作動すると、前記カッター部材によって前記ドレーン材が上下に切断されて、前記一対のかしめ部の間に前記上側ドレーン材の先端部が配置された状態で、前記アンカーが前記押し部材と前記一対の受け部材とで挟圧され、更に、前記一対のかしめ部の各々は、そのかしめ部に対応する受け部材の第２鉛直面に案内されて内向きに屈曲し、更に、前記一対の受け部材がそれらの自由端が互いに離れるように揺動するのに伴って、前記一対のかしめ部の各々は、そのかしめ部に対応する受け部材の第１鉛直面に案内されて更に屈曲し、前記一対の受け部材の第１鉛直面が略同一平面内に配置された状態で、前記押し部材と前記一対の受け部材とで前記アンカーが挟圧されるアンカー取付装置。
【請求項２】
前記第１アセンブリは、前記一対の受け部材が枢支される第１ベース部と、前記第１ベース部に対して相対移動自在に構成されると共に、第１付勢手段によって前記第２アセンブリ側に向かって付勢された前記第１相対移動部とを備えており、
前記第２アセンブリは、前記カッター部材と前記押し部材とが設けられると共に前記駆動手段と連結された第２ベース部と、前記第２ベース部に対して相対移動自在に且つ前記第２ベース部に追従して移動するように構成されると共に、第２付勢手段によって前記第１アセンブリ側に向かって付勢された第２相対移動部とを備えており、
前記第１付勢手段の第１付勢力は、前記第２付勢手段の第２付勢力よりも大きく、
前記第１アセンブリと前記第２アセンブリを近接するように前記駆動手段が作動すると、前記第１相対移動部と前記第２相対移動部が前記ドレーン材を挟持し、前記ドレーン材が前記第１相対移動部と前記第２相対移動部で挟持された状態で、前記第１ペース部と前記第２ベース部が近づけられる、請求項１に記載のアンカー取付装置。
【請求項３】
前記第２アセンブリには、前記第２ベース部に対する前記第２相対移動部の相対位置を規制する規制手段が設けられており、
前記規制手段が働いた状態の前記第２アセンブリに押されることで、前記第１相対移動部が前記第１ベース部に対して移動すると、前記一対の受け部材は、それらの自由端が離れるように揺動する、請求項２に記載のアンカー取付装置。
【請求項４】
前記一対の受け部材の各々の自由端側に設けられた凸部と、前記第１相対移動部に設けられており、前記凸部が案内されるカム溝とを含んでいる、請求項３に記載のアンカー取付装置。
【請求項５】
略鉛直に配置された帯状のドレーン材を上下に切断して、前記ドレーン材の切断後に上側に位置する上側ドレーン材の先端部にアンカーを取り付けるドレーン材用アンカー取付装置において、
前記アンカーは、底板と、前記底板の上面から垂直に突出する板状の支持部と、前記支持部の両端から前記支持部の一方の主面側に夫々突出する略平行な一対のかしめ部とを備えており、
前記ドレーン材用アンカー取付装置は、前記ドレーン材の一方の主面側に配置される第１アセンブリと、前記第１アセンブリに対向するように、前記ドレーン材の他方の主面側に配置されると共に、前記第１アセンブリに向かって水平方向に移動自在に構成された第２アセンブリと、前記第２アセンブリを移動させる駆動手段とを備えており、
前記第１アセンブリは、一対の受け部材を有しており、前記一対の受け部材の各々の基端は、鉛直軸周りで回転自在に枢支されており、前記一対の受け部材の内面は、前記第２アセンブリ側に向かって広がるように、上方から見てハ字状に配置され、前記一対の受け部材の各々の内面は、基端側に位置する第１鉛直面と、自由端側に位置し、前記第１鉛直面と鈍角で交わる第２鉛直面とで凹状に形成されており、
前記第１アセンブリは更に、前記第２アセンブリの動作に応じて前記一対の受け部材の各々を前記鉛直軸回りで回動させる回動手段を備えており、
前記第２アセンブリは、前記アンカーが載置される平面部を有すると共に、前記第１アセンブリ側の端部に前記ドレーン材の切断に使用される刃が形成されたカッター部材と、前記アンカーの前記支持部の他方の主面側に配置される押し部材とを備えており、
前記駆動手段が作動して、前記第２アセンブリが前記第１アセンブリに向かって移動すると、前記カッター部材によって前記ドレーン材が上下に切断されて、前記一対のかしめ部の間に前記上側ドレーン材の先端部が配置された状態で、前記アンカーが前記押し部材と前記一対の受け部材とで挟圧され、
前記駆動手段によって前記第２アセンブリが前記第１アセンブリに向かって押されることで、前記一対のかしめ部の各々は、そのかしめ部に対応する受け部材の第２鉛直面に案内されて内向きに屈曲し、前記回動手段が働いて前記一対の受け部材の各々が互いに離れるように回転するのに伴って、前記一対のかしめ部の各々は、そのかしめ部に対応する受け部材の第１鉛直面に案内されて更に屈曲し、前記一対の受け部材の第１鉛直面が略同一平面内に配置された状態で、前記押し部材と前記一対の受け部材とで前記アンカーが挟圧されるアンカー取付装置。
【請求項６】
前記第１アセンブリは、前記一対の受け部材が枢支される第１ベース部と、前記第１ベース部に対して相対移動自在に構成されると共に、第１付勢手段によって前記第２アセンブリ側に向かって付勢された前記第１相対移動部とを備えており、
前記第２アセンブリは、前記カッター部材と前記押し部材とが設けられると共に前記駆動手段と連結された第２ベース部と、前記第２ベース部に対して相対移動自在に且つ前記第２ベース部に追従して移動するように構成されると共に、第２付勢手段によって前記第１アセンブリ側に向かって付勢された第２相対移動部とを備えており、
前記第１付勢手段の第１付勢力は、前記第２付勢手段の第２付勢力よりも大きく、
前記駆動手段が作動して、前記第２アセンブリが前記第１アセンブリ側に向かって移動すると、前記第１相対移動部によって移動を制限されることで、前記第２相対移動部は停止するが、前記第２ベース部は移動を継続する、請求項５に記載のアンカー取付装置。
【請求項７】
前記第２アセンブリには、前記第２ベース部に対する前記第２相対移動部の相対位置を規制する規制手段が設けられており、
前記第２相対移動部が停止した後、前記規制手段が働くことで、前記第１付勢手段の第１付勢力に抗じて、前記第２ベース部と前記第２相対移動部が共に移動し、
前記規制手段が働いた状態の前記第２アセンブリに押されることで、前記第１相対移動部が前記第１ベース部に対して移動すると、前記回動手段が働いて、前記一対の受け部材の各々が前記鉛直軸回りで回転する、請求項６に記載のアンカー取付装置。
【請求項８】
前記回動手段は、前記一対の受け部材の各々の自由端側に設けられた凸部と、前記第１相対移動部に設けられており、前記凸部が案内されるカム溝とを含んでいる、請求項７に記載のアンカー取付装置。
【請求項９】
前記第１アセンブリは、前記第２アセンブリに向かって水平方向に移動自在に構成されている、請求項５乃至８の何れかに記載のアンカー取付装置。
【発明の詳細な説明】
【技術分野】
【０００１】
本発明は、プラスチックボードドレーン工法やペーパードレーン工法などにおいて、ドレーン材の先端部にアンカーを自動で取り付けるアンカー取付装置に関する。
【０００２】
プラスチックボードドレーン工法やペーパードレーン工法は、軟弱粘性土地盤の深層地盤改良に広く使用されており、集水機能と排水機能を有する帯状のドレーン材を地盤に打設して、地盤中の水分を集めて地上に排水することを特徴としている。ドレーン材を内部に収めた管状のケーシングが地盤に打設された後、ケーシングのみが地盤から引き抜かれることで、ドレーン材が地盤中に残置される。ケーシング内への泥の流入やケーシングを引き抜く際におけるドレーン材の共上りを防止又は抑制するために、ケーシングの下端から延出するドレーン材の先端部には、アンカーが取り付けられる。
【０００３】
ドレーン材の打設が繰り返される度に、地上に引き抜かれたケーシングの下端から地盤へと延びているドレーン材を上下に切断して、切断後に上側(ケーシング側)にあるドレーン材の先端部にアンカーを取り付ける作業が必要とされる。このようなドレーン材の切断とアンカーの取付けとを自動で行うアンカー取付装置の一つとして、特開平１１−５０４４２号公報にて提案されているものがある(特許文献１)。
【０００４】
特許文献１で開示されているアンカー取付装置では、図１４に示すアンカー(101')が使用されている。アンカー(101')は、矩形の底板(102')と、底板(102')の上面から垂直に突出する板状の支持部(103')と、支持部(103')の上端から支持部(103')の一方の主面側へと突出する３つの爪状突起(104a'-c')とを備えている。爪状突起(104a'-c')をドレーン材の先端部に突き刺して貫通させた後、爪状突起(104a'-c')を屈曲させてそれらの先端をドレーン材に食い込まれせることで、図１４に示すアンカー(101')は、ドレーン材に取り付けられる。
【先行技術文献】
【特許文献】
【０００５】
【特許文献１】特開平１１−５０４４２号公報
【発明の概要】
【発明が解決しようとする課題】
【０００６】
図１４に示す従来のアンカー(101')は、爪状突起(104a'-c')がドレーン材を貫通し、さらには、爪状突起(104a'-c')の先端がドレーン材に食い込むことでドレーン材に取り付けられることから、ドレーン材を痛めて、その強度を弱めてしまう。故に、ケーシングの引き上げ時に、例えばケーシング内の泥詰まりによる共上りが起こってアンカー(101')に反力が加わると、爪状突起(104a'-c')が貫通した箇所にてドレーン材がちぎれてしまって、ケーシングと共にドレーン材が引き上げられてしまう事態が起こり得る。また、爪状突起(104a'-c')の貫通又は食い込み箇所にてドレーン材が著しく破損すると、ドレーン材への泥の流入が顕著になってその機能が低下する事態も起こり得る。
【０００７】
このような理由から、ドレーン材を痛めることなく取付け可能なアンカーとして、図１５に示すようなアンカー(101)が考えられる。アンカー(101)は、矩形の底板(102)と、底板(102)の上面から垂直に突出する板状の支持部(103)と、支持部(103)の両端から支持部(103)の一方の主面側へと夫々突出する一対の板状のかしめ部(104a-b)とを備えている。これらかしめ部(104a-b)は略平行に配置されており、アンカー(101)は、図１６に示すように、かしめ部(104a-b)の間にドレーン材(201)を配置して、かしめ部(104a-b)をドレーン材(201)側に屈曲してかしめることでドレーン材(201)の先端部に取り付けられる。
【０００８】
図１５に示すアンカー(101)も、図１４に示すアンカー(101')のように自動でドレーン材(201)に取り付けられるのが好ましい。しかしながら、特許文献１に開示されているアンカー取付装置では、固定されたアンカー綴締部に形成された凹部に、(爪状突起(104a'-c')がドレーン材を貫通している状態で)アンカー(101)の爪状突起(104a'-c')を向けて押し付けて、その凹部に沿って爪状突起(104a'-c')が屈曲されているので、特許文献１のアンカー取付装置を、図１５に示すアンカー(101)の取付けに用いることはできない。かしめ部(104a-b)の各々が内向きに曲がるように図１５に示すアンカー(101)を変形させると共に、特許文献１のアンカー取付装置を改良して、(アンカー綴締部から凹部を無くして)平坦な鉛直面にかしめ部(104a-b)を押し付けることが考えられるが、このように図１５のアンカー(101)を変形させると、かしめ部(104a-b)の間にドレーン材(201)を配置し難くなる。
【０００９】
本発明は、上記の問題を解決するものであり、図１５に示すような新規なアンカーを自動でドレーン材に取り付けることができるドレーン材用アンカー取付装置を提供する。
【課題を解決するための手段】
【００１０】
本発明のドレーン材用アンカー取付装置は、略鉛直に配置された帯状のドレーン材を上下に切断して、前記ドレーン材の切断後に上側に位置する上側ドレーン材の先端部にアンカーを取り付けるドレーン材用アンカー取付装置において、前記アンカーは、底板と、前記底板の上面から垂直に突出する板状の支持部と、前記支持部の両端から前記支持部の一方の主面側に夫々突出する略平行な一対のかしめ部とを備えており、前記ドレーン材用アンカー取付装置は、前記ドレーン材の一方の主面側に配置される第１アセンブリと、前記第１アセンブリに対向するように、前記ドレーン材の他方の主面側に配置される第２アセンブリとを備えており、前記第１アセンブリと前記第２アセンブリは、前記第１アセンブリ及び前記第２アセンブリの少なくとも一方に連結された駆動手段が作動することで、水平方向に接近離間自在に構成されており、前記第１アセンブリは、一対の受け部材を有しており、前記一対の受け部材の内面は、前記第２アセンブリ側に向かって広がるように、上方から見てハ字状に配置され、前記一対の受け部材の各々の内面は、基端側に位置する第１鉛直面と、自由端側に位置し、前記第１鉛直面と鈍角で交わる第２鉛直面とで凹状に形成されており、前記一対の受け部材の各々の基端は、鉛直軸周りで回動自在に枢支されて、前記一対の受け部材は、前記駆動手段の動作に応じて揺動自在に構成されており、前記第２アセンブリは、前記アンカーが載置される平面部を有すると共に、前記第１アセンブリ側の端部に前記ドレーン材の切断に使用される刃が形成されたカッター部材と、前記アンカーの前記支持部の他方の主面側に配置される押し部材とを備えており、前記第１アセンブリと前記第２アセンブリを近づけるように前記駆動手段が作動すると、前記カッター部材によって前記ドレーン材が上下に切断されて、前記一対のかしめ部の間に前記上側ドレーン材の先端部が配置された状態で、前記アンカーが前記押し部材と前記一対の受け部材とで挟圧され、更に、前記一対のかしめ部の各々は、そのかしめ部に対応する受け部材の第２鉛直面に案内されて内向きに屈曲し、更に、前記一対の受け部材がそれらの自由端が互いに離れるように揺動するのに伴って、前記一対のかしめ部の各々は、そのかしめ部に対応する受け部材の第１鉛直面に案内されて更に屈曲し、前記一対の受け部材の第１鉛直面が略同一平面内に配置された状態で、前記押し部材と前記一対の受け部材とで前記アンカーが挟圧される。
【００１１】
本発明のドレーン材用アンカー取付装置では、前記第１アセンブリは、前記一対の受け部材が枢支される第１ベース部と、前記第１ベース部に対して相対移動自在に構成されると共に、第１付勢手段によって前記第２アセンブリ側に向かって付勢された前記第１相対移動部とを備えており、前記第２アセンブリは、前記カッター部材と前記押し部材とが設けられると共に前記駆動手段と連結された第２ベース部と、前記第２ベース部に対して相対移動自在に且つ前記第２ベース部に追従して移動するように構成されると共に、第２付勢手段によって前記第１アセンブリ側に向かって付勢された第２相対移動部とを備えており、前記第１付勢手段の第１付勢力は、前記第２付勢手段の第２付勢力よりも大きく、前記第１アセンブリと前記第２アセンブリを近接するように前記駆動手段が作動すると、前記第１相対移動部と前記第２相対移動部が前記ドレーン材を挟持し、前記ドレーン材が前記第１相対移動部と前記第２相対移動部で挟持された状態で、前記第１ペース部と前記第２ベース部が近づけられてよい。
【００１２】
更に、本発明のドレーン材用アンカー取付装置では、前記第２アセンブリには、前記第２ベース部に対する前記第２相対移動部の相対位置を規制する規制手段が設けられており、前記規制手段が働いた状態の前記第２アセンブリに押されることで、前記第１相対移動部が前記第１ベース部に対して移動すると、前記一対の受け部材は、それらの自由端が離れるように揺動してよい。
【００１３】
また、本発明のドレーン材用アンカー取付装置では、前記一対の受け部材の各々の自由端側に設けられた凸部と、前記第１相対移動部に設けられており、前記凸部が案内されるカム溝とを含んでよい。
【００１４】
また、本発明のドレーン材用アンカー取付装置は、略鉛直に配置された帯状のドレーン材を上下に切断して、前記ドレーン材の切断後に上側に位置する上側ドレーン材の先端部にアンカーを取り付けるドレーン材用アンカー取付装置において、前記アンカーは、底板と、前記底板の上面から垂直に突出する板状の支持部と、前記支持部の両端から前記支持部の一方の主面側に夫々突出する略平行な一対のかしめ部とを備えており、前記ドレーン材用アンカー取付装置は、前記ドレーン材の一方の主面側に配置される第１アセンブリと、前記第１アセンブリに対向するように、前記ドレーン材の他方の主面側に配置されると共に、前記第１アセンブリに向かって水平方向に移動自在に構成された第２アセンブリと、前記第２アセンブリを移動させる駆動手段とを備えており、前記第１アセンブリは、一対の受け部材を有しており、前記一対の受け部材の各々の基端は、鉛直軸周りで回転自在に枢支されており、前記一対の受け部材の内面は、前記第２アセンブリ側に向かって広がるように、上方から見てハ字状に配置され、前記一対の受け部材の各々の内面は、基端側に位置する第１鉛直面と、自由端側に位置し、前記第１鉛直面と鈍角で交わる第２鉛直面とで凹状に形成されており、前記第１アセンブリは更に、前記第２アセンブリの動作に応じて前記一対の受け部材の各々を前記鉛直軸回りで回動させる回動手段を備えており、前記第２アセンブリは、前記アンカーが載置される平面部を有すると共に、前記第１アセンブリ側の端部に前記ドレーン材の切断に使用される刃が形成されたカッター部材と、前記アンカーの前記支持部の他方の主面側に配置される押し部材とを備えており、前記駆動手段が作動して、前記第２アセンブリが前記第１アセンブリに向かって移動すると、前記カッター部材によって前記ドレーン材が上下に切断されて、前記一対のかしめ部の間に前記上側ドレーン材の先端部が配置された状態で、前記アンカーが前記押し部材と前記一対の受け部材とで挟圧され、前記駆動手段によって前記第２アセンブリが前記第１アセンブリに向かって押されることで、前記一対のかしめ部の各々は、そのかしめ部に対応する受け部材の第２鉛直面に案内されて内向きに屈曲し、前記回動手段が働いて前記一対の受け部材の各々が互いに離れるように回転するのに伴って、前記一対のかしめ部の各々は、そのかしめ部に対応する受け部材の第１鉛直面に案内されて更に屈曲し、前記一対の受け部材の第１鉛直面が略同一平面内に配置された状態で、前記押し部材と前記一対の受け部材とで前記アンカーが挟圧される。
【００１５】
本発明のドレーン材用アンカー取付装置では、前記第１アセンブリは、前記一対の受け部材が枢支される第１ベース部と、前記第１ベース部に対して相対移動自在に構成されると共に、第１付勢手段によって前記第２アセンブリ側に向かって付勢された前記第１相対移動部とを備えており、前記第２アセンブリは、前記カッター部材と前記押し部材とが設けられると共に前記駆動手段と連結された第２ベース部と、前記第２ベース部に対して相対移動自在に且つ前記第２ベース部に追従して移動するように構成されると共に、第２付勢手段によって前記第１アセンブリ側に向かって付勢された第２相対移動部とを備えており、前記第１付勢手段の第１付勢力は、前記第２付勢手段の第２付勢力よりも大きく、前記駆動手段が作動して、前記第２アセンブリが前記第１アセンブリ側に向かって移動すると、前記第１相対移動部によって移動を制限されることで、前記第２相対移動部は停止するが、前記第２ベース部は移動を継続してよい。
【００１６】
更に、本発明のドレーン材用アンカー取付装置では、前記第２アセンブリには、前記第２ベース部に対する前記第２相対移動部の相対位置を規制する規制手段が設けられており、前記第２相対移動部が停止した後、前記規制手段が働くことで、前記第１付勢手段の第１付勢力に抗じて、前記第２ベース部と前記第２相対移動部が共に移動し、前記規制手段が働いた状態の前記第２アセンブリに押されることで、前記第１相対移動部が前記第１ベース部に対して移動すると、前記回動手段が働いて、前記一対の受け部材の各々が前記鉛直軸回りで回転してよい。
【００１７】
更に、本発明のドレーン材用アンカー取付装置では、前記回動手段は、前記一対の受け部材の各々の自由端側に設けられた凸部と、前記第１相対移動部に設けられており、前記凸部が案内されるカム溝とを含んでよい。
【００１８】
また、本発明のドレーン材用アンカー取付装置では、前記第１アセンブリは、前記第２アセンブリに向かって水平方向に移動自在に構成されてよい。
【発明の効果】
【００１９】
本発明によれば、ケーシングの引き上げ後にて、略鉛直に延びるドレーン材を上下に切断して、底板と、底板の上面から垂直に突出する板状の支持部と、支持部の両端から支持部の一方の主面側に夫々突出する略平行な一対のかしめ部とを備えた新規なアンカーを、切断後に上側にあるドレーン材の先端部に自動で取り付けるドレーン材用アンカー取付装置がもたらされる。
【００２０】
本発明では、アンカーのかしめ部の間に上側ドレーン材の先端部が配置された状態で、アンカーが押し部材と一対の受け部材とで挟圧される。一対のかしめ部の各々は、受け部材の第２鉛直面に案内されて内向きに屈曲し、さらには、一対の受け部材の第１鉛直面に案内されて更に屈曲する。そして、最終的に、第１鉛直面が略同一平面内に配置された状態で、押し部材と第１鉛直面とでアンカーが挟圧されることで、アンカーのかしめ部がかしめられて、上側のドレーン材にアンカーが圧着される。
【図面の簡単な説明】
【００２１】
【図１】図１(ａ)及び図１(ｂ)は、本発明の実施例であるドレーン材用アンカー取付装置が使用されるプラスチックボードドレーン工法の概要を示す説明図である。
【図２】本発明の実施例であるアンカー取付装置の上面図である。
【図３】本発明の実施例であるアンカー取付装置の上面図であって、幾つかの構成要素が省略されている。
【図４】本発明の実施例であるアンカー取付装置の下面図である。
【図５】図２に示すＡ−Ａ線を含む鉛直面で破断したアンカー取付装置の断面図である。
【図６】本発明の実施例であるアンカー取付装置に係るカム溝を示す上面図である。
【図７】本発明の実施例であるアンカー取付装置の動作を示す説明図である。
【図８】本発明の実施例であるアンカー取付装置の動作を示す説明図である。
【図９】本発明の実施例であるアンカー取付装置の動作を示す説明図である。
【図１０】本発明の実施例であるアンカー取付装置の動作を示す説明図である。
【図１１】本発明の実施例であるアンカー取付装置の動作を示す説明図である。
【図１２】本発明の実施例であるアンカー取付装置の動作を示す説明図である。
【図１３】本発明の実施例であるアンカー取付装置の動作を示す説明図である。
【図１４】従来のドレーン材用アンカーの斜視図である。
【図１５】本発明の実施例であるアンカー取付装置を用いてドレーン材に取り付けられるアンカーの斜視図である。
【図１６】図１５に示すアンカーがドレーン材に取り付けられた模様を示す斜視図である。
【発明を実施するための形態】
【００２２】
以下、本発明について、図面を用いて具体的に説明する。図１(ａ)及び図１(ｂ)は、本発明の実施例であるドレーン材用アンカー取付装置(1)を用いて行われるプラスチックボードドレーン工法(以下、「ＰＢＤ工法」)の概要を模式的に示す説明図である。ＰＢＤ工法で使用されるドレーン材打設装置(7)は、帯状のドレーン材(8)が巻かれたリール(71)と、鉛直に配置された管状のケーシング(72)と、リール(71)からドレーン材(8)をケーシング(72)内へと案内するガイド機構(73)と、ドレーン材(8)が挿入された状態でケーシング(72)を地盤(9)に打ち込み、さらにはケーシング(72)のみを引き上げるためにケーシング(72)を上下動させる駆動機構(74)(例えば、フリクションローラ)と、ドレーン材打設装置(7)を所望の場所に移動させるための走行機構(75)(例えば、クローラ)とを有する。
【００２３】
地盤(9)に打設されるドレーン材(8)は、長手方向に沿って多数の通水溝が形成された芯材又はコアと、当該芯材を覆う透水性のフィルタとを備えた一般的なドレーン材であって、芯材は、例えば、ポリオレフィン樹脂やポリエチレン樹脂で形成されており、フィルタには、ポリエステルやポリプロピレンが用いられている。
【００２４】
図１(ａ)は、ドレーン材(8)の打設を開始する前の状態を示しており、ケーシング(72)の下端から引き出されたドレーン材(8)の先端部には、図１５に示したアンカー(101)が、図１６に示すように取り付けられている(このアンカー(101)は、アンカー取付装置(1)を用いて自動で取り付けられてもよく、手動で取り付けられてもよい)。本発明の実施例であるアンカー取付装置(1)は、待機状態(つまり、ケーシング(72)の地盤(9)への打ち込みが開始される前又は地盤(9)からの引き上げが完了した後)においてケーシング(72)の下方に配置されるようにドレーン材打設装置(7)に固定されている。言い換えると、待機状態において、ケーシング(72)の下端は、ドレーン材打設装置(7)に固定されたアンカー取付装置(1)の上方に配置される。駆動機構(74)が動作してケーシング(72)が下方に進むと、ケーシング(72)は、アンカー取付装置(1)を通って地盤(9)に至り、さらには、地盤(9)の中を進む。後述するように、アンカー取付装置(1)には、ケーシング(72)が通過できる空間が形成されている。
【００２５】
地表から所定の深さまでケーシング(72)の下端が至ると、駆動機構(74)が逆動作を行ってケーシング(72)のみが地盤(9)から引き上げられる。図１(ｂ)は、ケーシング(72)の引き上げが完了した模様を示している。ケーシング(72)が引き上げられても、ドレーン材(8)は、アンカー(101)が抵抗となって地盤(9)中に残される。
【００２６】
ケーシング(72)の下端がアンカー取付装置(1)の上方に位置するようにケーシング(72)が引き上げられると、図１(ｂ)に示すように、ドレーン材(8)は、ケーシング(72)の下端から地盤(9)へとアンカー取付装置(1)を通って略鉛直に延びた状態になる。アンカー取付装置(1)は、この状態にて動作を行って、ドレーン材(8)を上下に切断し、切断後に上側に位置するドレーン材(8)の先端部に、図１５に示したアンカー(101)を図１６に示すように取り付ける。アンカー(101)がドレーン材(8)に取り付けられると、走行機構(75)が動作して、ドレーン材打設装置(7)は、アンカー取付装置(1)と共にドレーン材(8)の次の打設地点へと移動する。
【００２７】
図２及び図３は、待機状態におけるアンカー取付装置(1)の上面図であって、図３では、装置内部の詳細を示すべく幾つかの構成要素(第１連結板材(35a)、第１ガススプリング(41a)、第２連結板材(55a-b)及びドレーン材ガイド部(66))が省略されている。図４は、アンカー取付装置(1)の下面図であり、図５は、図２に示すＡ−Ａ線を含む鉛直面で破断して矢視したアンカー取付装置(1)の断面図である。これらの図に示すように、アンカー取付装置(1)は、地盤(9)の表面から(例えば、１ｍ程度)離間して配置される細長いロ字状のフレーム(11)を有しており、フレーム(11)内の空間を通って略鉛直に配置されるドレーン材(8)の一方の主面側に配置される第１アセンブリ(3)と、ドレーン材(8)の他方の主面側に配置される第２アセンブリ(5)とを備えている。第１アセンブリ(3)は、フレーム(11)の長手方向に沿って水平移動可能であり、第２アセンブリ(5)に対して接近離間自在に構成されている。第２アセンブリ(5)も、フレーム(11)の長手方向に沿って水平移動可能であり、第１アセンブリ(3)に対して接近離間自在に構成されている。
【００２８】
ケーシング(72)の下端には、ドレーン材(8)が通る細長い開口が開設されており、当該開口で規制されることで、ケーシング(72)から延出するドレーン材(8)の両主面の向きは、ケーシング(72)に対して概ね一定にされている。図２乃至図５に示すように、第２アセンブリ(5)と第１アセンブリ(3)の移動方向、つまりフレーム(11)の長手方向が、ドレーン材(8)の主面に略垂直になるように、アンカー取付装置(1)(のフレーム(11))は、図示を省略した支持部材を介して、ドレーン材打設装置(7)に固定されている。
【００２９】
フレーム(11)の第１アセンブリ(3)側の端部には、第１アセンブリ(3)を駆動する第１駆動手段である第１油圧シリンダ(12)が設けられており、第１油圧シリンダ(12)のシリンダロッドは、第１連結機構(31)を介して第１アセンブリ(3)の第１ベース部(32)と連結されている。第１ベース部(32)は、略直方体状のブロック体である。
【００３０】
フレーム(11)の第２アセンブリ(5)側の端部には、第２アセンブリ(5)を駆動する第２駆動手段である第２油圧シリンダ(13)が設けられており、第２油圧シリンダ(13)のシリンダロッドは、第２連結機構(51)を介して第２アセンブリ(5)の第２ベース部(52)と連結されている。第２ベース部(52)は、略直方体状のブロック体である。
【００３１】
図２乃至図５に示す待機状態、つまりアンカー取付装置(1)が動作を開始する前の状態にて、第１油圧シリンダ(12)及び第２油圧シリンダ(13)のロッドは後退位置にあって、第１油圧シリンダ(12)及び第２油圧シリンダ(13)は、最も縮んだ状態になっている。本実施例では、第１及び第２駆動手段として油圧シリンダ(12)(13)が使用されているが、本発明の作用効果が得られる限りにおいて、第１及び第２駆動手段として用いられる装置や機構は限定されず、例えば、サーボシリンダが第１及び第２駆動手段として使用されてもよい。
【００３２】
第１アセンブリ(3)は、第１ベース部(32)に追従して移動すると共に、第１アセンブリ(3)の移動方向に沿って(つまり、フレーム(11)の長手方向に沿って)第１ベース部(32)に対して相対移動自在に構成された第１相対移動部(33)を備えている。第１相対移動部(33)は、フレーム(11)の長手方向に沿って、第１アセンブリ(3)の第１ベース部(32)の両側に配置される一対の第１側板材(34)(34)と、第１ベース部(32)の上側及び下側に夫々配置されて、これら第１側板材(34)(34)に連結される２つの第１連結板材(35a-b)とを備えている。
【００３３】
図３に示すように、一対の第１側板材(34)(34)の各々と第１ベース部(32)とは、第１リニアモーションガイド機構で連結されている。一対の第１側板材(34)(34)の各々の内面には、第１リニアモーションガイド機構の第１レール(36)が水平に固定されており、第１ベース部(32)の両側面には、第１レール(36)に案内されて摺動する、第１リニアモーションガイド機構の一対の第１ブロック(37)(37)が、長手方向に離間して固定されている。
【００３４】
図２乃至図４に示すように、一対の第１側板材(34)(34)の各々とフレーム(11)とは、第２リニアモーションガイド機構で連結されている。ロ字状のフレーム(11)の長手方向に沿った内面(14)(14)の各々には、第２リニアモーションガイド機構の第２レール(38)が水平に固定されており、一対の第１側板材(34)(34)の各々の外面には、それに近接する第２レール(38)に案内されて摺動する、第２リニアモーションガイド機構の一対の第２ブロック(39)(39)が、フレーム(11)の長手方向に離間して固定されている。
【００３５】
第１ベース部(32)と第１相対移動部(33)は、第１リニアモーションガイド機構に加えて、押圧されると第２アセンブリ(5)に向いた第１付勢力を発生させる第１付勢手段を介して連結されている。本実施例では、第１付勢手段として２本の第１ガススプリング(41a-b)が使用されている。第１ガススプリング(41a-b)の付勢力又はバネ力は、ロッドの位置によらずほぼ一定になっている(ロッドのストロークが増すほど付勢力が増加するが、可動範囲における付勢力の変化は小さい)。
【００３６】
図２及び図５に示すように、第１ベース部(32)の端面に固定された第１連結機構(31)の厚板の上端の中央領域は、第１ベース部(32)の上面から上方に突出しており、第１ベース部(32)の上側に配置される第１ガススプリング(41a)のロッド側の端部はその突出部分に取り付けられる。第１連結板材(35a)には、第１ガススプリング(41a)が部分的に収められる細長い切り欠きが長手方向に沿って形成されており、第１ガススプリング(41a)のチューブ側の端部は、その切り欠きを画定する短手方向に沿った縁部にて第１連結板材(35a)に取り付けられる。
【００３７】
また、図４及び図５に示すように、第１ベース部(32)の端面に固定された第１連結機構(31)の厚板の下端の中央領域は、第１ベース部(32)の下面から下方に突出しており、第１ベース部(32)の下側に配置される第１ガススプリング(41b)のチューブ側の端部はその突出部分に取り付けられる。第１連結板材(35b)には、第１ガススプリング(41b)が部分的に収められる細長い切り欠きが長手方向に沿って形成されており、第１ガススプリング(41b)のロッド側の端部は、その切り欠きを画定する短手方向に沿った縁部にて第１連結板材(35b)に取り付けられる。
【００３８】
図３に示すように、第１アセンブリ(3)の第１ベース部(32)には、第２アセンブリ(5)側に向かって広がるように配置された一対の受け部材(42a-b)が設けられている。一対の受け部材(42a-b)の各々の基端は、鉛直軸Ｏａ，Ｏｂ(図９及び図１３参照)周りで回動自在に第１ベース部(32)に枢支されている。受け部材(42a-b)の鉛直軸Ｏａ，Ｏｂは、フレーム(11)の短手方向に離間しており、第１ベース部(32)の端部は、受け部材(42a-b)の回転を可能とする空間が得られるように形成されている。一対の受け部材(42a-b)の各々の自由端には、鉛直方向に沿ったピン部又は突起部(43)が設けられている。一対の受け部材(42a-b)の各々の内面は、基端側に位置する第１鉛直面(44)と、自由端側に位置し、第１鉛直面(44)と鈍角で交わる第２鉛直面(45)とを含んでおり、凹状に形成されている(図７等を参照)。一対の受け部材(42a-b)の内面は、基端側から自由端側へと、上方から見てハ字状に広がっている。２つの受け部材(42a-b)は、フレーム(11)の長手方向に沿っており、鉛直軸Ｏａ，Ｏｂから均等に離間した鉛直面について面対称性を有するように構成及び配置されており、フレーム(11)の長手方向に沿って第２アセンブリ(5)に向かうにつれて、受け部材(42a-b)の内面間の距離又は間隔は、単調に増加している。第１鉛直面(44)及び第２鉛直面(45)は、厳密に鉛直である必要はなく、略鉛直であればよい。
【００３９】
第１アセンブリ(3)には、第２アセンブリ(5)又は第２油圧シリンダ(13)の動作に応じて一対の受け部材(42a-b)を回動させる又は揺動させる回動手段が設けられている。この回動手段は、受け部材(42a-b)の各々の自由端の突起部(43)と、受け部材(42a-b)の突起部(43)(43)が夫々嵌まる、第１相対移動部(33)の第１連結板材(35a)に形成された一対のカム溝(46a-b)とを含んでいる(図２参照)。図６には、カム溝(46a-b)の詳細を示す拡大図である。各カム溝(46a-b)は、へ字状に形成されており、第１相対移動部(33)又は第１アセンブリ(3)の移動方向に沿った第１領域と、当該第１領域の第２アセンブリ(5)側の端部から、第１油圧シリンダ(12)側へと若干傾きつつ外向きに延びる第２領域とで構成されている。第１アセンブリ(3)に対して第１相対移動部(33)が相対移動すると、カム溝(46a-b)に突起部(43)(43)が案内されて、受け部材(42a-b)が回転する。
【００４０】
図２等に示すアンカー取付装置(1)の待機状態では、第１ガススプリング(41a-b)は、最大長になっており、受け部材(42a-b)の突起部(43)(43)は、図６に示す位置Ｐ１に、つまり第１領域の第１油圧シリンダ(12)側に配置されている。第１油圧シリンダ(12)が駆動すると、第１相対移動部(33)は、第１ガススプリング(41a-b)の最大長で規定される相対位置を第１ベース部(32)に対して維持しつつ、第１ベース部(32)に追従して移動する。第２アセンブリ(5)又は第２油圧シリンダ(13)の動作に応じて回動手段が如何に機能して、受け部材(42a-b)を回転又は揺動させるかについては、後述する。
【００４１】
図３及び図５に示すように、一対の受け部材(42a-b)の下方には、ドレーン材(8)の切断時にドレーン材(8)を押さえる押さえ部材(47)が配置されている。押さえ部材(47)の(フレーム(11)の短手方向に離間した)両端は、一対の第１側板材(34)(34)に夫々固定されている。図５に示すように、第１連結板材(35a-b)の第２アセンブリ(5)側の端面と、押さえ部材(47)の第２アセンブリ(5)側の端面は、フレーム(11)の長手方向に垂直なほぼ同じ鉛直面内にある。
【００４２】
図２乃至図５に示すように、第２アセンブリ(5)は、第２ベース部(52)に追従して移動すると共に、第２アセンブリ(5)の移動方向に沿って(つまり、フレーム(11)の長手方向に沿って)第２ベース部(52)に対して相対移動自在に構成された第２相対移動部(53)を備えている。図２及び図３に示すように、第２相対移動部(53)は、フレーム(11)の長手方向に沿って、第２アセンブリ(5)の第２ベース部(52)の両側に夫々配置される一対の第２側板材(54)(54)と、第２ベース部(52)の上側及び下側に配置されてこれら第２側板材(54)(54)を連結する複数の第２連結板材(55a-c)とを備えている。第２連結板材(55a)は、第２ベース部(52)の上側に配置されて、第１アセンブリ(3)側にて第２側板材(54)(54)を連結する。第２連結板材(55b)は、第２ベース部(52)の上側に配置されて、第２油圧シリンダ(13)側にて第２側板材(54)(54)を連結する。第２連結板材(55c)は、第２連結板材(55a-b)よりも大きく、第２ベース部(52)の下側に配置されて、第２側板材(54)(54)を連結する。
【００４３】
一対の第２側板材(54)(54)の各々と第２ベース部(52)とは、第３リニアモーションガイド機構で連結されている。図２及び図３に示すように、一対の第２側板材(54)(54)の各々の内面には、第３リニアモーションガイド機構の第３レール(56)が水平に固定されており、第２ベース部(52)の両側面には、第３レール(56)に案内されて摺動する、第３リニアモーションガイド機構の一対の第３ブロック(57)(57)が、長手方向に離間して固定されている。
【００４４】
図２乃至図４に示すように、一対の第２側板材(54)(54)の各々とフレーム(11)とは、第４リニアモーションガイド機構で連結されている。ロ字状のフレーム(11)の長手方向に沿った内面(14)(14)の各々には、第４リニアモーションガイド機構の第４レール(58)が水平に固定されており、一対の第２側板材(54)(54)の各々の外面には、それに近接する第４レール(58)に案内されて摺動する、第４リニアモーションガイド機構の一対の第４ブロック(59)(59)が、長手方向に離間して固定されている。
【００４５】
第２アセンブリ(5)を摺動自在に案内する第４リニアモーションガイド機構の第４レール(58)(58)は、第１アセンブリ(3)を摺動自在に案内する第２リニアモーションガイド機構の第２レール(38)(38)よりも長くされている。また、本実施例では、第２油圧シリンダ(13)のストローク、つまり、第２アセンブリ(5)の移動可能距離又は範囲は、第１油圧シリンダ(12)のストローク、つまり、第１アセンブリ(3)の移動可能距離又は範囲と比較して、数倍程度長くなっている。本実施例では、このような構成によって、アンカー取付装置(1)の待機状態において、第２アセンブリ(5)へのアンカー(101)の供給や設置に必要な作業空間が、アンカー取付装置(1)が取り付けられるドレーン材打設装置(7)の構成要素(図示せず)を避けて、第２アセンブリ(5)の周辺に確保されている。しかしながら、本発明において、第２アセンブリ(5)の移動可能距離を第１アセンブリ(3)の移動可能距離よりも長くすることは必須ではなく、第１アセンブリ(3)及び第２アセンブリ(5)の移動可能距離や第１油圧シリンダ(12)及び第２油圧シリンダ(13)のストロークは、ドレーン材打設装置(7)の構造等を踏まえて適切に定められる。
【００４６】
第２ベース部(52)と第２相対移動部(53)は、第３リニアモーションガイド機構に加えて、第１アセンブリ(3)に向いた第２付勢力を発生させる第２付勢手段を介して連結されている。図４及び図５に示すように、本実施例では、第２付勢手段として１本の第２ガススプリング(61)が使用されている。第２ベース部(52)の端面に固定された第２連結機構(51)の厚板は、第２ベース部(52)の下面から下方に突出しており、第２ガススプリング(61)のチューブ側の端部はその突出部分に取り付けられる。第２連結板材(55c)には、第２ガススプリング(61)が部分的に収められる細長い切り欠きが長手方向に沿って形成されており、第２ガススプリング(61)のロッド側の端部は、その切り欠きを画定する短手方向に沿った縁部にて第２連結板材(55c)に取り付けられる。第２ガススプリング(61)の付勢力又はバネ力は、ロッドの位置によらずほぼ一定とされている(ロッドのストロークが増すほど付勢力が増加するが、可動範囲における付勢力の変化は小さい)。
【００４７】
第２アセンブリ(5)がこのように構成されていることによって、第２油圧シリンダ(13)が駆動されて、第１アセンブリ(3)に向けて、或いは第１アセンブリ(3)から離れるように第２アセンブリ(5)が移動すると、第２油圧シリンダ(13)のストロークの最大長で規定される相対位置を第２アセンブリ(5)に対して保持した状態で、第２相対移動部(53)も移動する。
【００４８】
第１付勢手段の付勢力、つまり２本の第１ガススプリング(41a-b)の第１付勢力の和は、第２付勢手段、つまり第２ガススプリング(61)の第２付勢力よりもかなり大きくされている(例えば、数倍程度大きくされる)。これによって、後述するように、第２油圧シリンダ(13)が作動して、第２アセンブリ(5)が第１アセンブリ(3)に向けて移動することで、第２相対移動部(53)がドレーン材(8)を介して第１相対移動部(33)に当たると、第２ガススプリング(61)が縮んで第２相対移動部(53)の位置がそのまま保持される一方で、第２ベース部(52)が第１アセンブリ(3)又は第１ベース部(32)に向けて移動する。つまり、第２相対移動部(53)は、第２ベース部(52)に対して、第２油圧シリンダ(13)側に相対移動する。
【００４９】
図２、図３及び図５に示すように、第２アセンブリ(5)の第２ベース部(52)の第１アセンブリ(3)側の端部の下側には、厚板状のカッター部材(62)が、第１アセンブリ(3)に向かって突設されている。カッター部材(62)の先端部には、ドレーン材(8)を切断する刃が形成されている。本実施例では、カッター部材(62)の先端部は、上方から見て山形又は楔形に形成されている。カッター部材(62)の上面部は、アンカー(101)が載置される平坦面又は水平面になっている。図２及び図５に示すように、アンカー(101)は、一対のかしめ部(104a-b)を第１アセンブリ(3)側に向けて、カッター部材(62)の上面部に配置される(図７等参照)。アンカー(101)は、作業者の手によりカッター部材(62)の上面部に載置されてよく、或いは、多数のアンカー(101)を積み重ねて保持するスタッカ(図示省略)から排出されて、自動で載置されてもよい。
【００５０】
第２ベース部(52)の第１アセンブリ(3)側の端部には、第１アセンブリ(3)側に向けて突出するように、略矩形のブロック状の押し部材(63)が固定されている。押し部材(63)の下面は、ステップ状に形成されている。当該下面の第１アセンブリ(3)側の平面部は、カッター部材(62)の上面部から上方に離間しており、当該平面部とカッター部材(62)との距離は、アンカー(101)の底板(102)の厚さよりも若干大きい。押し部材(63)の第１アセンブリ(3)側の鉛直面は、第１アセンブリ(3)の一対の受け部材(42a-b)に対向配置される(例えば、図７等参照)。また、アンカー(101)は、その支持部(103)が、押し部材(63)の第１アセンブリ(3)側の鉛直面に対向配置されるようにカッター部材(62)の上に載置される。
【００５１】
図５に示すように、第２ベース部(52)の上側に配置された第２連結板材(55a)の第１アセンブリ(3)側の端面と、第２ベース部(52)の下側に配置された第２連結板材(55c)の第１アセンブリ(3)側の端面とは、長手方向に垂直なほぼ同じ鉛直面内にある。アンカー取付装置(1)の待機状態では、カッター部材(62)の先端部は、これら端面よりも、第２油圧シリンダ(13)側に位置している。
【００５２】
図２、図３及び図５に示すように、第２アセンブリ(5)の第２連結機構(51)には、第２アセンブリ(5)に対する第２相対移動部(53)の移動範囲を規制又は制限する規制手段として、凸部(64)が上向きに突設されている。図２及び図５に示すように、第２ベース部(52)の上方にて第１油圧シリンダ(12)側に配置された第２相対移動部(53)の第２連結板材(55b)には、凸部(64)に対応又は協動する凹部(65)が形成されている。後述するように、第２相対移動部(53)に加わっている第２付勢力に抗して、第２アセンブリ(5)に対して第２油圧シリンダ(13)側に相対移動させる力が第２相対移動部(53)に働いた場合、第２連結板材(55b)の凹部(65)が凸部(64)に嵌まることで、第２相対移動部(53)の更なる移動が制限される。
【００５３】
図２及び図５に示すように、第２ベース部(52)の上側にて第１アセンブリ(3)側に配置された第２相対移動部(53)の第２連結板材(55a)には、切断とアンカー(101)の取り付けが可能な位置にドレーン材(8)をガイドするガイド手段であるドレーン材ガイド部(66)が固定されている。ドレーン材ガイド部(66)は、フレーム(11)の短手方向に離間した２本のアームを備えた板材であって、これらアームの間隔は、第２油圧シリンダ(13)側へと向かうにつれて狭くなっている。アームの基部間の間隔は、ドレーン材(8)の幅より若干狭くなっており、アームの基部を繋ぐドレーン材ガイド部(66)の縁は、第２連結板材(55a)の端面と同一面内に、或いは、当該端面よりも第２油圧シリンダ(12)側に位置している。
【００５４】
ドレーン材ガイド部(66)のアームの先端間の間隔は、ドレーン材(8)の幅よりもかなり広くされており、第１アセンブリ(3)側に向かって第２アセンブリ(5)が移動すると、ドレーン材ガイド部(66)のアーム間にドレーン材(8)が収められる。第２アセンブリ(5)が更に移動して、ドレーン材(8)がアームに案内されて第２連結板材(55a)の端面と接触すると、ドレーン材(8)は、第２ベース部(52)に設けられたカッター部材(62)及び押し部材(63)と、第１アセンブリ(3)の一対の受け部材(42a-b)とに対して位置決めされる。
【００５５】
次に、本発明の実施例のアンカー取付装置(1)が、アンカー(101)をドレーン材(8)に取り付ける動作について具体的に説明する。図１(ｂ)に示すように、ケーシング(72)が地盤(9)から引き上げられて、ドレーン材(8)が地盤(9)に打設された状態では、ドレーン材打設装置(7)のケーシング(72)は、アンカー取付装置(1)の上方に配置されており、アンカー取付装置(1)のフレーム(11)内の空間を通って、ドレーン材(8)が地盤(9)からケーシング(72)へと延びている。アンカー取付装置(1)は待機状態にされており、図２乃至図５に示すように、第１油圧シリンダ(12)及び第２油圧シリンダ(13)のロッドは後退位置にあって、第１アセンブリ(3)と第２アセンブリ(5)が、フレーム(11)内を上下に移動するケーシング(72)と干渉しないようにされている。
【００５６】
図７は、ケーシング(72)が引き上げられて、ドレーン材(8)が地盤(9)に打設された状態における、第１アセンブリ(3)、第２アセンブリ(5)及びドレーン材(8)の位置関係を模式的に示す説明図である(第１アセンブリ(3)と第２アセンブリ(5)の間の空間の一部は省略)。図７の上図は、第１アセンブリ(3)の第１ベース部(32)及び受け部材(42a-b)と、第２アセンブリ(5)の第２ベース部(52)、カッター部材(62)及び押し部材(63)とを上方から見た図であって、参考のために、(フレーム(11)の内部空間を通過する際における)ケーシング(72)の外周面が一点鎖線で示されている。図７の下図は、図４と同様に第１アセンブリ(3)と第２アセンブリ(5)を破断して示す簡略化した断面図である。
【００５７】
第１油圧シリンダ(12)及び第２油圧シリンダ(13)が作動して、それらのロッドが伸びると、第１アセンブリ(3)と第２アセンブリ(5)は共に、ドレーン材(8)に向かって移動する。待機状態にて、第１アセンブリ(3)は、第２アセンブリ(5)よりもケーシング(72)又はドレーン材(8)の近くに配置されており、第１アセンブリ(3)が先に停止して、図８に示すように、第１相対移動部(33)の端面はドレーン材(8)に近接又は当接して配置される(図８の上図は、図７の上図に対応しており、図８の下図は図７の下図に対応している、図９乃至図１３についても同様)。なお、第１油圧シリンダ(12)が先に差動して、第１アセンブリ(3)が停止した後に、第２油圧シリンダ(13)が作動してもよい。
【００５８】
第１アセンブリ(3)の停止位置は、第１油圧シリンダ(12)のストローク端で定められており、当該ストローク端は、図８に示すように、第１相対移動部(33)の端面がドレーン材(8)の一方の主面と近接するように調整されている。また、図２等に示すように、フレーム(11)の長手方向に沿った内面(14)(14)の各々から略均等にケーシング(72)(つまり、ドレーン材(8))が離間するように、アンカー取付装置(1)は、ドレーン材打設装置(7)に位置決め固定されており、一対の受け部材(42a-b)の自由端の間は、ドレーン材(8)の幅よりもかなり離れているので、ドレーン材(8)は、図８に示すように、停止した第１アセンブリ(3)の受け部材(42a-b)の自由端の間に配置される。
【００５９】
第１アセンブリ(3)が停止した後も、第２油圧シリンダ(13)が継続して作動して、第２アセンブリ(5)が第１アセンブリ(3)又は第１油圧シリンダ(12)に向かって移動し続けることで、第２アセンブリ(5)のドレーン材ガイド部(66)のアーム間にドレーン材(8)が収められる。そして、図９に示すように、ドレーン材(8)は、第１アセンブリ(3)の第１相対移動部(33)の端面と、第２アセンブリ(5)の第２相対移動部(53)の端面とで挟持される。ドレーン材ガイド部(66)のアームの先端間の間隔は、一対の受け部材(42a-b)の自由端間の間隔よりも広くされている。故に、アンカー取付装置(1)の取り付け誤差やケーシング(72)のずれなどに起因して、ドレーン材(8)が、図８に示す理想的な位置から一対の受け部材(42a-b)に対して短手方向にずれていても、ドレーン材(8)がドレーン材ガイド部(66)に案内されることで、図９に示すように、ドレーン材(8)の両端が、一対の受け部材(42a-b)の自由端又は第２鉛直面(45)から均等に離間するように位置決めされた状態で、ドレーン材(8)は、第１相対移動部(33)の端面と第２相対移動部(53)の端面とで挟持される。
【００６０】
先に述べたように、第１相対移動部(33)を付勢する第１付勢手段の第１付勢力、つまり２本の第１ガススプリング(41a-b)の付勢力の和は、第２相対移動部(53)を付勢する第２付勢手段、つまり第２ガススプリング(61)の第２付勢力よりもかなり大きくされている。従って、第１相対移動部(33)との間でドレーン材(8)を挟持するように第２相対移動部(53)が配置されると、第２相対移動部(53)の更なる移動は、第１相対移動部(33)によって制限される。第２油圧シリンダ(13)が作動し続けることで、第１ベース部(32)又は第１油圧シリンダ(12)に向かって第２ベース部(52)が移動を継続する一方で、第２ガススプリング(61)が収縮して、第２相対移動部(53)は、図９に示す位置にて停止する。
【００６１】
第２油圧シリンダ(13)が継続して作動して、第１ベース部(32)又は第１油圧シリンダ(12)に向かって第２ベース部(52)が移動を継続することで、図１０に示すように、ドレーン材(8)は、第２ベース部(52)に設けられたカッター部材(62)によって上下に切断される。第１アセンブリ(3)の第１相対移動部(33)に設けられた押さえ部材(47)の下面は、鉛直方向について、アンカー(101)の底板(102)の厚さよりも若干高くカッター部材(62)の上面部から離れている。カッター部材(62)の先端部は、第２ベース部(52)側にあるドレーン材(8)の主面を第１ベース部(32)側に押すが、押さえ部材(47)に他方の主面が当たることで、カッター部材(62)付近におけるドレーン材(8)の移動は制限される。これにより、ドレーン材(8)は、第１ベース部(32)に向かって進むカッター部材(62)によってスムースに切断される。ドレーン材(8)が切断されてもなお第２ベース部(52)は移動を継続し、カッター部材(62)は、押さえ部材(47)の下方にて、第１ベース部(32)又は第１油圧シリンダ(12)に向かって進む。
【００６２】
第２油圧シリンダ(13)が継続して作動して、第１ベース部(32)又は第１油圧シリンダ(12)に向かって第２ベース部(52)が移動を継続すると、切断後に上側にあるドレーン材(8)の先端部又は下端部が、アンカー(101)のかしめ部(104a-b)の間に配置された状態で、カッター部材(62)の上面部に載置されたアンカー(101)のかしめ部(104a-b)の各々の端部が、それに対応する何れかの受け部材(42a-b)の第２鉛直面(45)と当接する。そして、図１１に示すように、アンカー(101)は、その支持部(103)が押し部材(63)の端面と当接するまで、カッター部材(62)の上面の上を摺動する。これによって、アンカー(101)のかしめ部(104a-b)の各々は、押し部材(63)と一対の受け部材(42a-b)とで挟圧又は圧迫されて、そのかしめ部(104a-b)に対応する何れかの受け部材(42a-b)の第２鉛直面(45)に案内されて内側に屈曲を開始する。なお、アンカー(101)は、カッター部材(62)の上面部に載置される際に、支持部(103)が押し部材(63)の端面と当接又は近接した状態にされていてもよい。
【００６３】
その後、第１ベース部(32)又は第１油圧シリンダ(12)に向かって第２ベース部(52)が移動を継続すると、第２ベース部(52)に連結された第２連結機構(51)の凸部(64)に、停止している第２相対移動部(53)の第２連結板材(55b)の凹部(65)が嵌まることで、第２ベース部(52)に対する第２相対移動部(53)の相対移動が終了する。これにより、第１付勢手段の付勢力に抗じて第１相対移動部(33)を第１ベース部(32)に対して(第１油圧シリンダ(12)に向けて)相対移動させる力が、第２油圧シリンダ(13)が作動を継続することで、第２相対移動部(53)と第１相対移動部(33)の間に挟まれた(切断後の)上側ドレーン材(8)を介して、第２相対移動部(53)から第１相対移動部(33)に働く。アンカー(101)のかしめ部(104a-b)の各々は、対応する第２鉛直面(45)に案内されて内側へと更に屈曲すると共に、第１付勢手段を構成する２本の第１ガススプリング(41a-b)が縮むことで、第１相対移動部(33)は第１油圧シリンダ(12)に向かって移動する。第１ベース部(32)の位置は変わらない。
【００６４】
第２ベース部(52)に対する第２相対移動部(53)の相対移動が停止するまでは、一対の受け部材(42a-b)の自由端に設けられた突起部(43)の各々は、第１付勢手段の付勢力が働くことで、図６に示すように、それに対応するカム溝(46a-b)の第１領域の第１油圧シリンダ(12)側に配置される(図６に示す位置Ｐ１)。第２ベース部(52)に対する第２相対移動部(53)の相対移動が停止すると、上述したように、第１相対移動部(33)が、第１ベース部(32)に対して第１油圧シリンダ(12)側に移動するので、一対の受け部材(42a-b)の突起部(43)の各々は、それに対応するカム溝(46a-b)の第１領域を、第２アセンブリ(5)又は第２油圧シリンダ(13)に向かって進む。突起部(43)が、図６にて位置Ｐ２に示す第１領域の端に至るまでの間、一対の受け部材(42a-b)は、各々の基端側の枢軸Ｏａ，Ｏｂ回りで回転することなく、初期位置をそのまま維持する。図１２は、受け部材(42a-b)の突起部(43)の各々が、対応するカム溝(46a-b)の第１領域の第２アセンブリ(5)側の端に、つまり位置Ｐ２に至った状態を示す。アンカー(101)のかしめ部(104a-b)の各々の先端は、それに対応する第２鉛直面(45)の第１鉛直面(44)側の端部に位置している。
【００６５】
本実施例では、一対の受け部材(42a-b)を回動させる回動手段がこのように構成されているので、図１１に示すように、アンカー(101)の一対のかしめ部(104a-b)が屈曲を開始してから、図１２に示すように、かしめ部(104a-b)がある程度屈曲するまでは、かしめ部(104a-b)を案内する第２鉛直面(45)の位置は固定される。
【００６６】
第２油圧シリンダ(13)が継続して作動して、第１油圧シリンダ(12)に向かって第２ベース部(52)が更に移動を継続すると、(上側ドレーン材(8)を介して)第１相対移動部(33)が第２相対移動部(53)に押されることで、一対の受け部材(42a-b)の突起部(43)の各々は、それに対応するカム溝(46a-b)の第２領域に案内されて、外方へと動く。受け部材(42a-b)は夫々、基端側の枢軸Ｏａ，Ｏｂ回りで、受け部材(42a-b)の自由端がより離れるように、つまり、受け部材(42a-b)がより開くように回転又は揺動する。図１３は、受け部材(42a-b)の突起部(43)の各々が、カム溝(46a-b)の第２領域の第１油圧シリンダ(12)側の端(図６にて位置Ｐ３で示す)に至った状態を示す。この状態にて、受け部材(42a-b)の２つの第１鉛直面(44)は、ほぼ同一の鉛直面内にあるように配置される。
【００６７】
受け部材(42a-b)の回転又は揺動に伴って、アンカー(101)の一対のかしめ部(104a-b)は、図１２示す状態からより広がるように移動する２つの第１鉛直面(44)と、第２アセンブリ(5)の押し部材(63)とで挟圧又は圧迫されて、より支持部(103)側へとより屈曲する。そして、最終的に、図１３に示すように、ほぼ同一の鉛直面内にある状態にてこれら第１鉛直面(44)に押し付けられることで、アンカー(101)のかしめ部(104a-b)は、支持部(103)に対して略平行にされて、かしめられて、(切断後の)上側ドレーン材(8)の先端部にアンカー(101)が圧着される。
【００６８】
第２油圧シリンダ(13)は第２ベース部(52)を押すように駆動されるものの、第１油圧シリンダ(12)又は第１ベース部材(32)が動かないので、図１３に示すようにアンカー(101)のかしめ部(104a-b)の屈曲が終了すると(つまり、アンカー(101)の取り付けが完了すると)、第２ベース部(52)は停止する。その後、第１油圧シリンダ(12)及び第２油圧シリンダ(13)は縮退するように駆動されて、第１アセンブリ(3)と第２アセンブリ(5)とは、図２乃至図５及び図７に示す待機状態に戻される。その際、２本の第１ガススプリング(41a-b)が最大長に戻されることで、第１ベース部(32)に対する第１アセンブリ(3)の第１相対移動部(33)の相対位置も戻される。これに伴って、受け部材(42a-b)は夫々、基端側の枢軸Ｏａ，Ｏｂ回りで、受け部材(42a-b)の自由端がより近づくように回転又は揺動する。アンカー取付装置(1)が待機状態に戻された後、ドレーン材打設装置(7)は、アンカー取付装置(1)を伴ってドレーン材(8)の次の打設場所に移動して、上述したようにドレーン材(8)の打設が再度行われる。
【００６９】
上記実施例のアンカー取付装置(1)では、第１付勢手段と第２付勢手段として、２本の第１ガススプリング(41a-b)と１本の第２ガススプリング(61)が夫々使用されているが、本発明において、第１付勢手段と第２付勢手段を夫々構成するガススプリングの本数は限定されない。さらに、本発明において、第１付勢手段と第２付勢手段として、コイルバネなどのガススプリング以外の装置が使用されてもよい。
【００７０】
上記実施例では、停止した第１アセンブリ(3)に向かって第２アセンブリ(5)が移動するように構成されているが、第１油圧シリンダ(12)及び第２油圧シリンダ(13)のストロークや、第２リニアモーションガイド機構の第２レール(38)及び第４リニアモーションガイド機構の第４レール(58)の長さなどが変更されて、停止した第２アセンブリ(5)に向かって第１アセンブリ(3)が移動するようにアンカー取付装置(1)は構成されてもよい。停止した第２アセンブリ(5)に向かって第１アセンブリ(3)が移動する場合、第２油圧シリンダ(13)が先に差動して、第２相対移動部(53)の端面がドレーン材(8)の主面に近接した状態で第２アセンブリ(5)が停止する。その後、第１油圧シリンダ(12)が差動して第１アセンブリ(3)が第２アセンブリ(5)に向かって移動する。
【００７１】
本発明において留意すべきは、第１アセンブリ(3)と第２アセンブリ(5)を近づけることで、受け部材(42a-b)と押し部材(63)とでアンカー(101)が挟圧されていることであって、第１アセンブリ(3)と第２アセンブリ(5)を近づけるためには、停止した第１アセンブリ(3)に向けて第２アセンブリ(5)を移動させてよく、停止した第２アセンブリ(5)に向けて第１アセンブリ(3)を移動させよく、或いは、第１アセンブリ(3)及び第２アセンブリ(5)を互いに向かって移動させてもよい。
【００７２】
上記実施例では、第１アセンブリ(3)が第２アセンブリ(5)に向かって水平移動自在に構成されているが、例えば、第１アセンブリ(3)の第１ベース部(32)は、図２等に示した待機状態の位置に固定されていてもよい。言い換えると、第１油圧シリンダ(12)が削除されてよい。この場合、第２アセンブリ(5)の移動可能範囲を大きくすることで、上述したようにアンカー(101)の取り付けが可能であるが、上記の実施例と比較してドレーン材(8)がより引っ張られることになるであろう。同様に、停止した第２アセンブリ(5)に向かって第１アセンブリ(3)が移動するようにアンカー取付装置(1)が構成される場合には、第２油圧シリンダ(13)が削除されてよい。
【００７３】
上記実施例では、第２アセンブリ(5)の動作に応じて一対の受け部材(42a-b)の各々を鉛直軸回りで回動させる回動手段は、各受け部材(42a-b)の突起部(43)と、第１相対移動部(33)の第１連結板材(35a)に形成された一対のカム溝(46a-b)とを含んでいるが、本発明の回動手段として、異なる構成が採用されてもよい。例えば、回動手段は、２つの受け部材(42a-b)の突起部(43)(43)と、それら突起部(43)(43)に両端が固定されたコイルバネとを含んでいてもよい。コイルバネは、回転又は揺動した一対の受け部材(42a-b)を待機状態における一対の受け部材(42a-b)の配置に戻すように、つまり、一対の受け部材(42a-b)の自由端を内向きに付勢する。この場合、第１相対移動部(33)の構造は、コイルバネが配置可能なように適切に変更され、第２相対移動部(53)の構造も第１相対移動部(33)の変更に合わせて変更される。
【００７４】
本発明の作用効果が得られる限りにおいて、本発明のアンカー取付装置(1)を用いてアンカー(101)が取り付けられるドレーン材の種類は限定されない。ＰＢＤ工法以外のバーチカルドレーン工法で使用されるドレーン材(例えば、ペーパードレーン材)に、図１５に示すようなアンカー(101)を取り付けるために、本発明のアンカー取付装置(1)が適用されてもよい。
【００７５】
上記説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【符号の説明】
【００７６】
(1)  アンカー取付装置
(12) 第１油圧シリンダ
(13) 第２油圧シリンダ
(3)  第１アセンブリ
(5)  第２アセンブリ
(32) 第１ベース部
(33) 第１相対移動部
(41a-b)  第１ガススプリング
(42a-b)  受け部材
(44) 第１鉛直面
(45) 第２鉛直面
(43) 突起部
(46a-b)  カム溝
(47) 押さえ部材
(52) 第２ベース部
(53) 第２相対移動部
(61) 第２ガススプリング
(62) カッター部材
(63) 押し部材
(64) 凸部
(65) 凹部
(66) ドレーン材ガイド部
(8)  ドレーン材
(72) ケーシング
(101)  アンカー
(102)  底板
(103)  支持部
(104a-b) かしめ部
【図１】
2014234659.tif 000003
【図２】
2014234659.tif 000004
【図３】
2014234659.tif 000005
【図４】
2014234659.tif 000006
【図５】
2014234659.tif 000007
【図６】
2014234659.tif 000008
【図７】
2014234659.tif 000009
【図８】
2014234659.tif 000010
【図９】
2014234659.tif 000011
【図１０】
2014234659.tif 000012
【図１１】
2014234659.tif 000013
【図１２】
2014234659.tif 000014
【図１３】
2014234659.tif 000015
【図１４】
2014234659.tif 000016
【図１５】
2014234659.tif 000017
【図１６】
2014234659.tif 000018